(57)【要約】【課題】口座をロックすることなく投票券の購入、配当による投票券の再購入、及び、払戻が即時にできるようにする。【解決手段】ポイント所有者銀行口座から同じ銀行に開設された主催者銀行口座へ振込を行い、データベースに保持されたポイントを増加させ、このポイントを投票券と交換する。ポイント計算エンジンにより勝馬情報（レース結果）に基づいて配当に相当するポイントを加算する。また、払戻命令が発せられた場合には、データベースに保持されたポイントを減少させ、その減少に相当する金額を主催者銀行口座よりポイント所有者銀行口座へ振替える。【選択図】　図１
2004078480.tif 000002
【特許請求の範囲】
【請求項１】
ポイントの残高をポイント所有者別に保持するためのポイント残高保持部と、
前記ポイント残高保持部に保持されているポイントを管理するポイント管理部と、
ポイントと、金銭との交換を行なうための前記ポイント所有者のポイント所有者銀行口座と、
ポイントと、金銭との交換を行なうための前記ポイント所有者銀行口座と同一銀行の主催者の主催者銀行口座と、
からなる投票券購入システムであって、
前記ポイント管理部は、
ポイント残高の範囲内でポイントと、投票券とを交換する投票券交換手段と、
前記投票券に基づく配当をポイントとして前記ポイント残高保持部に加算するポイント配当手段と、
前記ポイント残高保持部に保持されているポイントを金銭に交換するための処理であるポイント交換処理を行なうポイント金銭交換手段と、
前記ポイント金銭交換手段により交換された金銭の額を前記主催者銀行口座から前記所有者銀行口座へ振替処理をする銀行口座振替処理手段と、
を有する投票券購入システム。
【請求項２】
前記ポイント配当手段は、前記投票券に基づく配当を、当該レース終了後であって、次のレース開始前に加算することを特徴とする請求項１に投票券購入システム。
【請求項３】
前記ポイント管理部は、ポイントの残高を増加させるための金銭の振込通知を投票受付期間中であるかどうかにかかわらず受け付ける振込通知受付手段を有する請求項１に記載の投票券購入システム。
【請求項４】
前記振込通知受付手段は、前記ポイント所有者銀行口座から前記主催者銀行口座への振込の通知を受け付けることを特徴とし、
前記ポイント所有者銀行口座の残高が所定の額を下回ると、前記主催者銀行口座への振込を実施するために借り入れを行なう借入処理部を備える請求項３に記載の投票券購入システム。
【請求項５】
前記ポイント金銭交換手段は、前記ポイント交換処理を随時行なうことができ、前記銀行口座振替処理手段は、前記振替処理を随時行なうことができる請求項１に記載の投票券購入システム。
【請求項６】
前記投票券は、勝馬投票券、舟券、車券、スポーツくじ、宝くじのいずれか一であることを特徴とする請求項１ないし５に記載の投票券購入システム。
【発明の詳細な説明】
【０００１】
【発明の属する技術分野】
本発明は、投票券の購入の処理、投票券に関する配当金の処理、払い戻しのための振替処理を行なう投票券購入システムに関する。
【０００２】
【従来の技術】
従来、競馬の勝馬投票券をオンラインにて購入し配当金を受け取るシステムがあった。このシステムにおいて利用者は、勝馬投票券を購入する資金を預金する預金口座（以下、専用口座という）を開設する。利用者は、レース期間前に専用口座に資金を預金し、その預金を元にして勝馬投票券を購入し、レース期間終了後に購入した勝馬投票券の購入額と配当額との相殺額の振込を受けるようになっていた。
【０００３】
【発明が解決しようとする課題】
しかしながら、従来のシステムにおいては、レース開催期間中は、専用口座がロックされるので、自分の預金口座でありながら現金を引き落とすことも、また、勝馬投票券を購入する資金を追加するための預金もできない。
【０００４】
また、勝馬投票券の購入額と配当金との相殺額の振込みは、レース期間終了後に行なわれるので、配当金をリアルタイムで入手することはできなかった。
【０００５】
以上のことにより、利用者は、レース等に思う存分のお金を賭けることができず、また、配当金が直ちに入手できないため、銀行の信用問題が発生している現在では配当金で思う存分に遊興に耽ることができないという問題がある。
【０００６】
本発明は、このような点に鑑みてなされたものであり、投票券の購入資金を追加することができ、また、配当金をリアルタイムで入手することができる投票券購入システムを提供することを目的とする。
【０００７】
【課題を解決するための手段】
この課題を解決するために、本発明においては、ポイントの残高を保持するポイント保持部と、ポイントを管理するポイント管理部と、同一銀行にポイント所有者の銀行口座と主催者の銀行口座とを開設しておくようにする。ポイント管理部は、ポイントを投票券と交換するポイン投票券交換手段と、配当をポイントとして加算するポイント配当手段と、ポイントを金銭に交換する処理を行なうポイント金銭交換手段と、ポイント金銭交換手段により交換された金銭の額を口座間で振替える処理を行なう銀行口座振替処理手段と、を有するようにした。
【０００８】
これにより、配当で得られたポイントに相当する金額の振替をリアルタイムで受けることができ、配当金を入手することができる。
【０００９】
また、ポイント配当手段は、投票券の配当をその投票券のレース終了後であって、次のレース開始前に配当に相当するポイントを加算するようにしてもよい。
【００１０】
これにより、配当金を次のレースの投票券の購入資金にすることができ、より高額の利益を得ることが可能となる。
【００１１】
また、ポイント管理部は、金銭の振込通知を投票受付期間中であるかどうかにかかわらず受け付ける振込通知受付手段を有していてもよい。
【００１２】
これにより、投票券を購入する資金が不足しても、資金を振込むことができ、投票券を購入することが可能となる。
【００１３】
また、その振込は、ポイント所有者の銀行口座から行なわれるものであって、ポイント所有者の銀行口座の残高が所定の金額を下回る場合には、借り入れを行なう借入処理部を備えていてもよい。
【００１４】
これにより、投票券の購入資金が不足しても、借入が行なわれるので、投票券の購入を継続することが可能となる。
【００１５】
また、ポイント金銭交換手段は、金銭に交換する処理を随時行なうことができ、銀行口座振替処理手段は振替える処理を随時行なうことができるようになっていてもよい。
【００１６】
これにより、配当金をリアルタイムで入手することが可能となる。
【００１７】
なお、ここで「投票券」という言葉を用いたが、この投票券は、競馬の勝馬投票券、ボートレースの舟券、競輪やオートレースの車券であってもよい。
【００１８】
また、投票券は、サッカーなどの勝ち負けを予想するスポーツくじであってもよい。また、宝くじであってもよい。スポーツくじや宝くじの場合には、「レース」とは、スポーツの対戦や抽選会の実施を意味するものとする。
【００１９】
【発明の実施の形態】
以下、本発明の実施の形態について、図を用いて説明する。なお、本発明はこれら実施形態に何ら限定されるものではなく、その要旨を逸脱しない範囲において、種々なる態様で実施し得る。
【００２０】
（本発明の概念）
図１は、本発明の概念を例示する。図１において、投票券を購入する者の銀行口座であるポイント所有者銀行口座１０１がある。この銀行口座は、レース開催者の銀行口座である主催者銀行口座１０２の開設されている銀行と同じ銀行に開設される。これは、ポイント所有者銀行口座１０１と主催者銀行口座１０２との間での振込み・振替をリアルタイムで行なえるようにするためである。リアルタイムで振込み・振替が行なえるならば、ポイント所有者銀行口座１０１と主催者銀行口座１０２とは異なる銀行に開設されていてもよい。
【００２１】
投票券を購入する者は、まず、ポイント購入命令１０６を発する。これにより、ポイント所有者銀行口座１０１より主催者銀行口座１０２へ振込みが行なわれ、振込み額がポイントに換算されてデータベース１０３に加算される。次にポイントを投票券に交換するための投票券交換命令１０７が発せられる。一レースが終了すると、競馬の場合には勝馬情報１０５が、ポイント計算エンジン１０４に伝えられ、投票券が的中していれば配当が行なわれ、その配当金額に相当するポイントが加算される。
【００２２】
配当金額に相当するポイントが加算されるので、投票券が的中して得られた配当金に相当するポイントを次のレースの投票券の購入にあてることができる。
【００２３】
投票券を購入する者は、必要に応じて、払戻命令１０８を発し、データベース１０３に加算されているポイントを減じ、それに対応する金額を主催者銀行口座１０２からポイント所有者銀行口座１０１へ振替える。
【００２４】
したがって、本発明では、投票券の購入原資となるポイントに相当する額がレース主催者側に存在することになり、従来のようにポイント所有者銀行口座をロックする必要がない。これにより、ポイント所有者銀行口座へは随時現金を預金することができ、その後、主催者銀行口座へ振込みをすることができる。また、ポイント所有者銀行口座への払戻も随時行なうことが可能となる。
【００２５】
（実施形態１）
図２は、本発明における実施形態１の投票券購入システムの機能ブロック図を例示する。
【００２６】
本実施形態の投票券購入システム２００は、ポイント残高保持部２０１と、ポイント管理部２０２と、ポイント所有者銀行口座２０３と、主催者銀行口座２０５と、からなる。
【００２７】
「ポイント残高保持部」２０１は、ポイントの残高をポイント所有者別に保持するための部である。「ポイント」とは、価値を表わすものであり、投票券や現金と交換可能なものである。ポイントは、端的に、通貨単位である円で表示されるようになっていてもよいし、投票券の価値、配当金の価値を表わすための最小単位を基準に定められていてもよい。
【００２８】
ポイント残高保持部は、例えば、表によりポイント所有者のポイント残高を保持する。図３は、その一例として表３０１を表示している。ポイント所有者Ａのポイント残高は１００００、ポイント所有者Ｂのポイント残高は２５０００、ポイント所有者Ｃのポイント残高は１０００、であることが表現されている。
【００２９】
「ポイント管理部」２０２は、ポイント残高保持部２０１に保持されているポイントを管理する。どのようにポイントを管理するかについては、後述する。
【００３０】
「ポイント所有者銀行口座」２０３は、ポイントと、金銭との交換を行なうためのポイント所有者の銀行預金口座である。後述のように、この銀行預金口座に、ポイントを金銭に換算された額が振替られる。
【００３１】
「主催者銀行口座」２０５は、ポイントと、金銭との交換を行なうためのポイント所有者銀行口座２０３と同一銀行２０４に開設された主催者の銀行口座である。後述のように、この銀行口座に振込みが行なわれると、その振込み額に相当するポイントがポイント残高保持部で保持されているポイントに加算される。また、払戻のためにポイント残高保持部２０１のポイントが減少すると、それに対応する金額が主催者銀行口座２０５からポイント所有者銀行口座２０３へ振替えられる。
【００３２】
なお、「振込み」とは、同一銀行内での金銭の移動と、異なる銀行の口座間での金銭の移動との両方を意味し、「振替」とは、同一銀行の口座間での金銭の移動を意味するものとする。
【００３３】
（実施形態１：図１と図４との対応関係）
なお、図１と図４との対応関係を説明すると、データベース１０３に相当するのが、ポイント残高保持部２０１と、ポイント管理部２０２の中の配当の処理以外の処理を行なう部分である。ポイント計算エンジン１０４に相当するのがポイント管理部２０２の中の配当の処理を行なう部分である。
【００３４】
（実施形態１：ポイント管理部の内部）
図４は、ポイント管理部２０２を更に詳細に例示する図である。ポイント管理部２０２は、投票券交換手段４０１と、ポイント配当手段４０２と、ポイント金銭交換手段４０３と、銀行口座振替処理手段４０４と、を有している。
【００３５】
（実施形態１：投票券交換手段）
「投票券交換手段」４０１は、ポイント残高の範囲内でポイントと、投票券とを交換する。
【００３６】
図５は、投票券交換命令１０７がポイント所有者より発せられた場合の投票券交換手段４０１における処理を説明するフローチャートを例示する。投票券交換命令１０７には、ポイント所有者を識別する情報（例えば、名前やユーザＩＤ）、ポイントと交換する投票券の数量、投票券の内容が含まれているとする。
【００３７】
ステップＳ５０１において、ポイント所有者を識別する情報から、ポイント残高を求め、交換する投票券に対応するポイントがポイント残高以下であるかどうかを判断する。もし、そうならばステップＳ５０２へ移行し、そうでなければ、処理を終了する。
【００３８】
ステップＳ５０２においては、ポイント残高を減少させる。減少させるポイントの量は、交換する投票券に相当するポイントである。また、交換に要する手数料を更に減少するようにしてもよい。この場合には、ステップＳ５０１においては、手数料を考慮して交換する投票券に対応するポイントとポイント残高を比較することになる。
【００３９】
ステップＳ５０３において、指定された投票券を購入する。
【００４０】
投票券の購入結果は、例えば、図６に例示される表６０１に格納される。この表では、どのポイント所有者が、どのレースにどのような内容の投票を行なったかが格納される。また、同じ投票内容の投票券が複数購入される場合に備えて、数量も格納するようにしてもよい。なお、表６０１は、ポイント管理部２０２で保持されてもよいし、ポイント残高保持部２０１で保持されていてもよい。また、表６０１を保持する第三の部があってもよい。
【００４１】
なお、図５のフローチャートは処理の一例を例示しており、ステップＳ５０１にて、交換する投票券に相当するポイントがポイント残高以下でない場合には、処理を終了すると説明したが、ポイント残高が不足するため、投票券に交換できない旨のメッセージがポイント所有者に対して送信されるようになっていてもよい。
【００４２】
（実施形態１：ポイント配当手段）
「ポイント配当手段」４０２は、投票券に基づく配当をポイントとしてポイント残高保持部に加算する。ここでいう「投票券」とは、投票券交換手段４０１によりポイントから交換された投票券のことである。
【００４３】
どのポイント所有者が、どのレースにどのような内容の投票を行なったかは表６０１に格納されているので、ポイント配当手段４０２は、この表を行単位に走査し、的中したレースの投票内容が格納された行に格納されているポイント所有者のポイント残高を、配当に相当する量だけ増加させる。
【００４４】
（実施形態１：ポイント金銭交換手段）
「ポイント金銭交換手段」４０３は、ポイント残高保持部に保持されているポイントを金銭に交換するための処理であるポイント交換処理を行なう。
【００４５】
図７は、払戻命令１０８がポイント所有者より発せられたときのポイント金銭交換手段４０３における処理を説明するフローチャートを例示する。払戻命令１０８には、ポイント所有者を識別する情報（例えば、名前やユーザＩＤ）、金銭に交換するポイント（あるいは、金銭に交換するポイントを求めるための金銭の額）が含まれているとする。
【００４６】
ステップＳ７０１において、ポイント所有者を識別する情報からポイント残高を求め、金銭に交換するポイントがポイント残高以下であるかどうか判断する。もしそうならば、ステップＳ７０２へ移行し、そうでなければ処理を終了する。
【００４７】
ステップＳ７０２において、金銭に交換するポイント残高をポイント残高より減少させる。
【００４８】
ステップＳ７０３において、次に説明する銀行口座振替処理手段を起動する。
【００４９】
なお、図７のフローチャートは処理の一例を例示しており、ステップＳ７０１にて、金銭に交換するポイントがポイント残高以下でなければ、処理を終了すると説明したが、ポイント残高が不足するため、金銭に交換できない旨のメッセージがポイント所有者に対して送信されるようになっていてもよい。
【００５０】
（実施形態１：銀行口座振替処理手段）
「銀行口座振替処理手段」４０４は、ポイント金銭交換手段４０３により交換された金銭の額を主催者銀行口座２０５から所有者銀行口座へ振替処理をする。
【００５１】
図８は、銀行口座振替処理手段４０４における処理を説明するフローチャートを例示する。
【００５２】
ステップＳ８０１において、ポイント所有者の銀行口座を特定する。ポイント所有者の銀行口座は、ポイント管理部２０２やポイント残高保持部２０１で管理されていてもよい。あるいは、ポイント所有者とその銀行口座を対応付けて管理する部があってもよい。また、払戻命令１０８の中に振替先の銀行口座の番号などが含まれており、それによりポイント所有者の銀行口座が特定されるようになっていてもよい。
【００５３】
ステップＳ８０２において、銀行２０４へ振替の依頼をする。
【００５４】
（実施形態１：効果）
本実施形態の投票券購入システムによれば、ポイント所有者銀行口座２０３がロックされることなく、投票券の購入、配当金の払戻を行なうことができる。また、ポイント残高保持部でのポイントの残高は、レース期間終了後も破棄せずに存在させておくことができる。
【００５５】
（実施形態２）
本発明の実施形態２は、実施形態１の投票券購入システムにおいて、ポイント配当手段４０２を、投票券に基づく配当を、当該レース終了後であって、次のレース開始前に加算することを特徴とするようにしたものである。「当該レース」とは、投票券により予想されたレースを意味する。
【００５６】
すなわち、当該レース終了後、次のレースが開始するまでに、ポイント配当手段４０２が当該レースの結果を受け取るようにし、表６０１に格納された投票内容に基づいて配当に相当するポイントを加算する。
【００５７】
ポイントの加算は効率良く実行される必要がある。そこで、表３０１と表６０１とを関係データベース管理システムにより管理し、表６０１のレース番号の列と投票内容の列とに索引を付加しておく。このようにすれば、レース結果から、的中した投票券を購入したポイント所有者を効率良く求めることができる。また、表３０１のポイント所有者の列に索引を定義しておけば、的中した投票券を購入したポイント所有者の所持しているポイントの列を高速に求めることが可能となり、ポイントの加算を効率良く行なえる。
【００５８】
（実施形態２：効果）
本実施形態の投票券購入システムによれば、レースが終了した後、次のレースが開始するまでに配当に相当するポイントが加算されるので、その加算されたポイントを次のレースの投票券の購入にあてることができ、資金を効率良く増やすことが可能となる。
【００５９】
（実施形態３）
図９は、本発明の実施形態３に関する投票券購入システムの機能ブロック図を例示する。本実施形態においては、実施形態１の投票券購入システム２００のポイント管理部２０２が更に、振込通知受付手段９０１を有する。
【００６０】
「振込通知受付手段」９０１は、ポイントの残高を増加させるための金銭の振込通知を投票受付期間中であるかどうかにかかわらず受け付ける。
【００６１】
すなわち、主催者銀行口座２０５の開設されている銀行、あるいは、その他の銀行からの送金の通知を受け付ける。この際、投票受付期間中であるかどうかを問わない。
【００６２】
（実施形態３：振込や振替の処理の依頼は、投票券購入システムが受け付けてもよい）
また、「振込通知」とは、ポイント所有者からの送金の依頼としてもよい。金銭の振込が即時に処理されるようにするために、振込は、ポイント所有者銀行口座から、同じ銀行に開設されている主催者銀行口座への振替により行なわれるようにしてもよい。また、通常、振込や振替による送金の処理の依頼は、銀行が受け付けるが、本実施形態の投票券購入システム２００が振替の処理の依頼を受け付けるようにしてもよい。
【００６３】
（実施形態３：処理）
図１０は、投票券購入システム２００が送金の処理の依頼を受け付ける場合の、本実施形態特有の処理を説明するフローチャートを例示する。
【００６４】
ステップＳ１００１において、ポイント所有者を特定する。すなわち、どのポイント所有者のポイントの残高を増加させるための振込であるかを特定する。例えば、振替依頼者の認証を行い、この認証結果に基づいて、ポイント所有者を決定してもよい。
【００６５】
ステップＳ１００２において、ポイント所有者より、ポイント所有者銀行口座を特定する。すなわち、ポイント所有者銀行口座の開設されている支店、口座番号を特定する。
【００６６】
ステップＳ１００３において、ポイント所有者銀行口座の残高を減少させる処理を行なう。
【００６７】
ステップＳ１００４において、主催者銀行口座の残高を増加させる。
【００６８】
ステップＳ１００５において、ポイント所有者のポイントの残高を増加させる。
【００６９】
なお、ステップＳ１００３において残高が減少される額とステップＳ１００３において残高が増加される額とは一致するようにしてもよいが、振替の手数料などが徴収される場合には、ステップＳ１００３において残高が減少される額が手数料などの分大きくなる。また、ステップＳ１００３とステップＳ１００４との処理は、銀行２０４に実行を依頼するようにしてもよい。
【００７０】
（実施形態３：効果）
本実施形態によれば、投票受付期間中であるかどうかにかかわらず振込や振替によりポイントの残高を増加させることができ、機動的な投票券の購入が可能となる。また、ポイント所有者銀行口座から主催者銀行口座への振替を行なうことにより、ポイント所有者がポイントを金銭に交換する場合は、逆の方向の主催者銀行口座からポイント所有者銀行口座へ振替を行なうことになるので、ポイントを金銭に交換する場合の資金が不足する事態の発生を避けることができる。
【００７１】
（実施形態４）
本発明の実施形態４は、実施形態３の投票券購入システムにおいて、振込通知受付手段９０４は、ポイント所有者銀行口座２０３から主催者銀行口座２０５への振込の通知を受け付けることを特徴とし、ポイント所有者銀行口座の残高が所定の額を下回ると、主催者銀行口座への振込を実施するための借入を行なう借入処理部を備える。
【００７２】
例えば、ポイント所有者銀行口座２０５の残高が０になると、主催者銀行口座への振込額の借入の処理を行い、振込を行なうようにしたものである。
【００７３】
「所定の額」とは、借入を行なう条件があらかじめ決められたことを意味し、ポイント所有者を一当事者とする契約により定められる。例えば、残高が０円であれば借入が行なわれる、あるいは、このように確定した金額ではなく、残高が、主催者銀行口座へ降込む額未満であれば借入が行なわれるように条件が決められていてもよい。
【００７４】
また、借入の相手は、銀行２０４とは限らず、銀行以外の消費者金融業者であったり、あるは、主催者であったりしてもよい。
【００７５】
（実施形態４：処理）
図１１は、本実施形態の処理を説明するフローチャートを例示している。基本的に図１０のフローチャートと同じであるが、ポイント所有者を特定し、ポイント所有者銀行口座を特定するステップＳ１１０１とステップＳ１１０２との後に、ポイント所有者銀行口座の残高が所定の金額以下であるかどうかが判断されるステップＳ１１０２が追加されている。また、所定の金額以下であれば、主催者銀行口座への振込を実施するために必要な借入を行なうステップＳ１１０３が追加されている。
【００７６】
なお、主催者銀行口座への振込を実施するために必要な借り入れは、主催者銀行口座へ振込む金額からポイント所有者銀行口座の残高（もしマイナスであれば０とする）の差と一致する必要はなく、若干大きめにするようにしてもよい。どの程度大きめにするかは、例えば、一万円単位に切り上げるように前もって定めておいたり、ポイント所有者を一当事者とする契約や、ポイント購入命令１０６により定められるようにしておいたりしてもよい。
【００７７】
（実施形態４：効果）
本実施形態の投票券購入システムによれば、ポイント所有者銀行口座の残高が不足してもポイントの残高を増加して投票券に交換できるので、機動的な投票券の購入が可能となる。
【００７８】
（実施形態５）
本発明の実施形態５においては、実施形態１の投票券購入システムにおいて、ポイント金銭交換手段４０３でのポイント交換手段を随時行なうことができるようにし、また、銀行口座振替処理手段４０４は、振替処理を随時行なうことができるようにしたものである。
【００７９】
本発明においては、投票券はポイント残高保持部２０１に保持されたポイントと引き換えられるようになっているので、ポイント所有者銀行口座２０３を従来のシステムのようにロックする必要がないので、いつでもポイント所有者銀行口座２０３へ振替の処理が行なえる。
【００８０】
なお、「随時」と説明したが、完全に絶え間なくという意味ではなく、メンテナンスなどのために例えば一日の間に短時間の間だけ払戻命令１０３が受け付けられない時間を許容することを排除するものではない。
【００８１】
（実施形態５：効果）
本実施形態の投票券購入システムによれば、的中した投票券により配当を随時ポイント所有者銀行口座に振替をすることができ、配当金を手にすることができる。
【００８２】
（実施形態６）
実施形態１から実施形態５において、「投票券」という言葉を用いたが、この意味するところは、競馬の勝馬投票券、ボートレースの舟券、競輪やオートレースの車券のいずれかであってもよい。また、サッカーなどの勝ち負けを予想するスポーツくじや、宝くじであってもよい。特に宝くじとしては、くじ番号が購入者の意思によらず定められるものや、購入者が任意の番号を指定できるものであってもよい。また、スポーツくじの場合に「レース」とはスポーツの対戦を意味し、宝くじの場合に「レース」とは、抽選会の実施を意味するものとする。
【００８３】
【発明の効果】
以上のように、本発明によれば、ポイント所有者銀行口座２０３がロックされることなく、投票券の購入、配当金の払戻を行なうことができる。
【図面の簡単な説明】
【図１】本発明の概念図
【図２】投票券購入システムの機能ブロック図
【図３】ポイント残高保持部で保持されるポイント所有者別のポイントの残高の一例図
【図４】実施形態１の投票券購入システムの機能ブロック図
【図５】投票券交換手段の処理の流れ図
【図６】投票結果を格納する表の一例図
【図７】ポイント金銭交換手段の処理の流れ図
【図８】銀行口座振替処理手段の処理の流れ図
【図９】実施形態３の投票券購入システムの機能ブロック図
【図１０】振込通知を受け付けてからの処理の流れ図
【図１１】実施形態４における振込通知を受け付けてからの処理の流れ図
【符号の説明】
１０１　ポイント所有者銀行口座
１０２　主催者銀行口座
１０３　データベース
１０４　ポイント計算エンジン
１０５　勝馬情報
１０６　ポイント購入命令
１０７　投票券交換命令
１０８　払戻命令
【図１】
2004078480.tif 000003
【図２】
2004078480.tif 000004
【図３】
2004078480.tif 000005
【図４】
2004078480.tif 000006
【図５】
2004078480.tif 000007
【図６】
2004078480.tif 000008
【図７】
2004078480.tif 000009
【図８】
2004078480.tif 000010
【図９】
2004078480.tif 000011
【図１０】
2004078480.tif 000012
【図１１】
2004078480.tif 000013